(57)【要約】【課題】ユーザの腕に巻きつけられる装具であって、片手で容易に巻付け可能な装具を提供する。【解決手段】装具は、矩形状の布地と、第１保持部とを備える。矩形状の布地は、腕の動きに追従可能な柔軟性を有し、腕の周囲の少なくとも一部分を覆う。第１保持部は、布地に取り付けられており、布地が腕の周囲の少なくとも一部分を覆った状態を保持するように構成されている。第１保持部は、第１、第２、第３及び第４係合部を含む。第１及び第２係合部は、各々が第１面に設けられている。第３及び第４係合部は、各々が第１面の裏面である第２面に設けられている。第１及び第２係合部は、互いに係合するように構成されている。第３及び第４係合部は、互いに係合するように構成されている。【選択図】図１
2019163564.tif 000002
【特許請求の範囲】
【請求項１】
ユーザの腕に巻き付けられる装具であって、
前記腕の動きに追従可能な柔軟性を有し、前記腕の周囲の少なくとも一部分を覆う布地と、
前記布地に取り付けられており、前記布地が前記腕の周囲の少なくとも一部分を覆った状態を保持するように構成された第１保持部とを備え、
前記第１保持部は、
各々が第１面に設けられた第１及び第２係合部と、
各々が前記第１面の裏面である第２面に設けられた第３及び第４係合部とを含み、
前記第１及び第２係合部は、互いに係合するように構成されており、
前記第３及び第４係合部は、互いに係合するように構成されている、装具。
【請求項２】
前記第１保持部は、平面視において、前記布地の外側に延びる第１ゴム帯をさらに含み、
前記第１係合部は、前記第１ゴム帯の前記第１面に設けられており、
前記第２係合部は、前記布地の前記第１面に設けられており、
前記第３係合部は、前記第１ゴム帯の前記第２面に設けられており、
前記第４係合部は、前記布地の前記第２面に設けられている、請求項１に記載の装具。
【請求項３】
前記第１保持部は、前記布地において、前記ユーザの手が配置される方向の端部に取り付けられている、請求項１又は請求項２に記載の装具。
【請求項４】
前記布地に取り付けられた第２ゴム帯をさらに備え、
前記第２ゴム帯は、前記布地において、前記ユーザの手が配置される方向の端部と反対側の端部に取り付けられている、請求項１から請求項３のいずれか１項に記載の装具。
【請求項５】
前記布地の各辺には折返しが形成されている、請求項１から請求項４のいずれか１項に記載の装具。
【請求項６】
前記布地に取り付けられており、前記布地が前記腕の周囲の少なくとも一部分を覆った状態を保持するように構成された第２保持部をさらに備え、
前記第２保持部は、前記布地において、前記第１保持部よりも、前記ユーザの手が配置される方向の端部と反対側の端部寄りの位置に取り付けられており、
前記第２保持部は、
前記第１面に設けられた第５係合部と、
前記第２面に設けられており、前記第５係合部と係合するように構成された第６係合部とを含む、請求項１から請求項５のいずれか１項に記載の装具。
【請求項７】
前記第１、第２、第３及び第４係合部の各々は、面ファスナーで構成されている、請求項１から請求項６のいずれか１項に記載の装具。
【発明の詳細な説明】
【技術分野】
【０００１】
本発明は、装具に関し、特に、ユーザの腕に巻き付けられる装具に関する。
【背景技術】
【０００２】
実公昭５７−１０６５７号公報（特許文献１）は、ユーザの腕に巻き付けられるサポータを開示する。このサポータは、編地によって形成されたサポータ主体と、各々が該サポータ主体の第１側縁部に設けられた複数の雄型の面ファスナーと、各々が該サポータ主体の第２側縁部（第１側縁部と反対側の側縁部）に設けられた複数の雌型の面ファスナーとを備える。このサポータによれば、複数の雄型の面ファスナーの各々を対応する雌型の面ファスナーに係合させることによって、サポータ主体をユーザの腕に巻き付けることができる（特許文献１参照）。
【先行技術文献】
【特許文献】
【０００３】
【特許文献１】実公昭５７−１０６５７号公報
【発明の概要】
【発明が解決しようとする課題】
【０００４】
上記特許文献１に開示されているサポータは、手首の骨折や捻挫を治療するために用いられる。すなわち、ユーザは、片手しか自由に使えない状態で該サポータを使用する。このように、ユーザの腕に巻き付けられる装具は、ユーザが片手しか自由に使えない状態で使用される場合がある。したがって、ユーザの腕に巻き付けられる装具は、片手で容易に巻付け可能であることが好ましい。このような観点から、上記特許文献１に開示されているサポータ（装具の一例）は、改善の余地がある。
【０００５】
本発明は、このような課題を解決するためになされたものであって、その目的は、ユーザの腕に巻きつけられる装具であって、片手で容易に巻付け可能な装具を提供することである。
【課題を解決するための手段】
【０００６】
本発明に従う装具は、ユーザの腕に巻き付けられる装具である。装具は、布地と、第１保持部とを備える。布地は、腕の動きに追従可能な柔軟性を有し、腕の周囲の少なくとも一部分を覆う。第１保持部は、布地に取り付けられており、布地が腕の周囲の少なくとも一部分を覆った状態を保持するように構成されている。第１保持部は、第１、第２、第３及び第４係合部を含む。第１及び第２係合部は、各々が第１面に設けられている。第３及び第４係合部は、各々が第１面の裏面である第２面に設けられている。第１及び第２係合部は、互いに係合するように構成されている。第３及び第４係合部は、互いに係合するように構成されている。
【０００７】
布地が柔軟性を有する場合に、異なる面に設けられた係合部同士を片手で係合させることは難しい。一方、同じ面に設けられた係合部同士の係合は、片手であっても比較的容易である。この装具においては、各々が第１面に設けられた第１及び第２係合部が係合し、各々が第２面に設けられた第３及び第４係合部が係合する。この装具によれば、同一の面に設けられた係合部同士の係合を２度行なうことによりユーザの腕に装具を巻き付けることができるため、ユーザは、装具の巻付けを片手で容易に行なうことができる。
【０００８】
上記装具において、第１保持部は、平面視において布地の外側に延びる第１ゴム帯をさらに含んでもよい。第１係合部は第１ゴム帯の第１面に設けられ、第２係合部は布地の第１面に設けられ、第３係合部は第１ゴム帯の第２面に設けられ、第４係合部は布地の第２面に設けられてもよい。
【０００９】
たとえば、第１、第２、第３及び第４係合部の各々が布地に直接取り付けられている場合には、第１係合部が第２係合部の位置に届く程度の布地の大きさが必要になる。この装具においては、第１及び第３係合部が第１ゴム帯に設けられる。この装具によれば、第１ゴム帯が平面視において布地の外側に延びているため、第１、第２、第３及び第４係合部の各々が布地に直接取り付けられている場合と比較して、布地の大きさを小さくしたとしても、第１係合部を第２係合部に届かせることができる。
【００１０】
上記装具において、第１保持部は、布地において、ユーザの手が配置される方向の端部（第１端部）に取り付けられてもよい。
【００１１】
この装具によれば、ユーザの手付近を十分に緊締することによって、布地がユーザの腕に巻き付けられた状態を保持することができる。
【００１２】
上記装具は、布地に取り付けられた第２ゴム帯をさらに備えてもよい。第２ゴム帯は、布地において、ユーザの手が配置される方向の端部と反対側の端部（第２端部）に取り付けられてもよい。
【００１３】
この装具によれば、布地において第２端部（ユーザの手が配置される方向の端部と反対側の端部）に第２ゴム帯が取り付けられるため、第２端部におけるへたりを抑制することができる。
【００１４】
上記装具において、布地の各辺には折返しが形成されてもよい。
【００１５】
この装具においては、折返しが形成されることによって、各辺の剛性が高められている。したがって、この装具によれば、各辺に折返しが形成されない場合と比較して装具の耐久年数を延ばすことができる。
【００１６】
上記装具は、第２保持部をさらに備えてもよい。第２保持部は、布地に取り付けられており、布地が腕の周囲の少なくとも一部分を覆った状態を保持するように構成されている。第２保持部は、布地において、第１保持部よりも、ユーザの手が配置される方向の端部と反対側の端部寄りの位置に取り付けられてもよい。第２保持部は、第１面に設けられた第５係合部と、第２面に設けられており、第５係合部と係合するように構成された第６係合部とを含んでもよい。
【００１７】
この装具においては、布地において、第１保持部よりも、ユーザの手が配置される方向の端部と反対側の端部寄りの位置に取り付けられた第２保持部が設けられる。したがって、この装具によれば、第１及び第２保持部によって、布地がユーザの腕に巻き付けられた状態をより強固に保持することができる。
【００１８】
上記装具において、第１、第２、第３及び第４係合部の各々は、面ファスナーで構成されてもよい。
【発明の効果】
【００１９】
本発明によれば、ユーザの腕に巻きつけられる装具であって、片手で容易に巻付け可能な装具を提供することができる。
【図面の簡単な説明】
【００２０】
【図１】装具が装着されたユーザの腕を手の甲側から見た図である。
【図２】装具が装着されたユーザの腕を手の平側から見た図である。
【図３】装具を開いた状態を示す図である。
【図４】装具の装着手順を示すフローチャートである。
【図５】装具が準備された状態を示す図である。
【図６】第１面側に設けられた面ファスナー同士が係合した状態を示す図である。
【図７】第２面側に設けられた面ファスナー同士が係合した状態を示す図である。
【図８】第１変形例である装具を示す図である。
【図９】第２変形例である装具を示す図である。
【図１０】第３変形例である装具を示す図である。
【図１１】第４変形例である装具を示す図である。
【発明を実施するための形態】
【００２１】
以下、本発明の一側面に係る実施の形態（以下、「本実施の形態」とも称する。）について、図面を用いて詳細に説明する。なお、図中同一又は相当部分には同一符号を付してその説明は繰り返さない。また、以下で説明する本実施の形態は、あらゆる点において本発明の例示にすぎない。本実施の形態は、本発明の範囲内において、種々の改良や変更が可能である。すなわち、本発明の実施にあたっては、実施の形態に応じて具体的構成を適宜採用することができる。
【００２２】
［１．概要］
図１は、本実施の形態に従う装具１０が装着されたユーザの腕を手の甲側から見た図である。図２は、本実施の形態に従う装具１０が装着されたユーザの腕を手の平側から見た図である。図１及び図２に示されるように、装具１０は、ユーザの腕（及び手）に巻き付けられる。たとえば、装具１０は、腕（又は手）の不自由なユーザによって使用される。
【００２３】
たとえば、装具１０の内面（ユーザの腕に接触する面）における一部の領域（たとえば、領域Ａ１（図２））には、ユーザの生体情報を検知するセンサ（不図示）が配置される。センサは、たとえば、接着、縫着、編込み及び印刷等の方法によって装具１０の内面に取り付けられる。センサの一例としては、たとえば、筋電センサ、心電センサ及び脈波センサがある。
【００２４】
装具１０がユーザの腕に巻き付けられると、装具１０の内面に配置されたセンサがユーザの腕に接触する。詳細については後述するが、装具１０は柔軟性のある部材で構成されているため、装具１０によれば、内面に配置されたセンサをユーザの腕に十分にフィットさせることができる。
【００２５】
たとえば、装具１０のユーザは、装具１０に加えて、さらに腕（又は手）の動きをアシストするロボット（不図示）を装着することができる。たとえば、このロボットは、ユーザからの入力に基づいてユーザが所望する動作を推定し、推定された該動作をアシストする。
【００２６】
この場合に、たとえば、装具１０の内面に配置されたセンサの検知結果（たとえば、筋電情報）が該ロボットへ出力され、ロボットによってユーザの所望の動作が推定される。そして、ロボットは、推定された該動作のアシストを行なう。このようなシステムを利用することによって、腕（又は手）の不自由なユーザは、ロボットのアシストを受けて、腕（又は手）を用いた所望の動作を行なうことができる。
【００２７】
このように、装具１０は、片腕（又は片手）が不自由なユーザによって使用される場合がある。したがって、装具１０は、片手で容易にユーザの腕に巻付け可能であることが好ましい。装具１０においては、片手で容易に巻付け可能とするための種々の構成上の工夫が施されている。以下、装具１０の詳細な構成、及び、装具１０の装着手順について順に説明する。
【００２８】
［２．構成］
図３は、装具１０を開いた状態を示す図である。図３を参照して、上方は装具１０の内面（以下、「第１面」とも称する。）側を示し、下方は装具１０の外面（以下、「第２面」とも称する。）側を示す。
【００２９】
矢印Ｕ方向は、装具１０の装着作業中において、ユーザの手が配置される方向である。矢印Ｄ方向は、装具１０の装着作業中において、ユーザの腕の付け根が配置される方向である。矢印Ｒ方向は、装具１０の装着作業中において、ユーザの右方となる方向である。矢印Ｌ方向は、装具１０の装着作業中において、ユーザの左方となる方向である。
【００３０】
装具１０は、布地１５と、保持部１００，２００と、ゴム帯３０とを含む。布地１５は、装具１０が腕に巻き付けられた状態で腕の動きに追従可能な柔軟性を有する矩形状の布地である。布地１５は、たとえば、伸縮性を有するストレッチ編物（ポリエステル、ポリウレタン等）で構成される。したがって、布地１５がユーザの腕に巻き付けられた場合に、布地１５は、ユーザの腕に十分にフィットする。さらに、ユーザは、布地１５が腕に巻き付けられた状態であっても、腕を動かすことができる。
【００３１】
布地１５の第１面側の各辺においては、折返し２０が形成されている。折返し２０は、たとえば、折り返された辺を縫着することによって形成される。これにより、各辺の剛性が増し、布地１５の耐久性が向上している。
【００３２】
布地１５において矢印Ｄ方向の端部に存在する辺には、ゴム帯３０が取り付けられている。ゴム帯３０は、たとえば、折返し２０の内部において、布地１５に縫い付けられる。ゴム帯３０は、たとえば、織ゴムで構成される。ゴム帯３０の伸長回復率は、布地１５の伸長回復率よりも高い。これにより、布地１５において、ゴム帯３０が取り付けられている辺のへたりが抑制されている。
【００３３】
保持部１００は、布地１５において、矢印Ｕ方向の端部に取り付けられている。保持部１００は、布地１５がユーザの腕に巻き付けられた状態を保持するように構成されている。保持部１００は、バンド１１０と、布地１５の第１面側に設けられた面ファスナー１２０と、布地１５の第２面側に設けられた面ファスナー１１８とを含む。面ファスナー１２０，１１８の各々は、たとえば、矩形状であり、かつ、布地１５に縫着されている。面ファスナー１２０は、面ファスナー１１８よりも矢印Ｒ方向の位置に配置されている。
【００３４】
バンド１１０は、布地１５において、第１面側に取り付けられている。バンド１１０は、たとえば、布地１５の第１面側において、布地１５に縫着されている。バンド１１０は、矩形状のゴム帯１１２と、ゴム帯１１２の第１面側に取り付けられた面ファスナー１１４と、ゴム帯１１２の第２面側に取り付けられた面ファスナー１１６とを含む。面ファスナー１１４，１１６の各々は、たとえば、矩形状であり、かつ、ゴム帯１１２に縫着されている。面ファスナー１１４，１１６は、矢印ＬＲ方向において、同一の位置に配置されており、かつ、面ファスナー１１８よりも矢印Ｌ方向の位置に配置されている。
【００３５】
ゴム帯１１２は、たとえば、織ゴムで構成される。たとえば、ゴム帯１１２の伸長回復率は、上述のゴム帯３０の伸長回復率よりも高い。これにより、装具１０の装着状態において、十分な緊締力が得られる。面ファスナー１１４は、共通の面（第１面）に設けられた面ファスナー１２０と係合するように構成されている。たとえば、面ファスナー１１４は雌型の面ファスナーで構成され、面ファスナー１２０は雄型の面ファスナーで構成される。共通の面に設けられた面ファスナー同士の係合は、片手であっても比較的容易である。したがって、面ファスナー１１４，１２０の係合は、片手であっても比較的容易である。
【００３６】
また、面ファスナー１１６は、共通の面（第２面）に設けられた面ファスナー１１８と係合するように構成されている。たとえば、面ファスナー１１６は雄型の面ファスナーで構成され、面ファスナー１１８は雌型の面ファスナーで構成される。面ファスナー１１６，１１８は共通の面（第２面）に設けられているため、面ファスナー１１６，１１８の係合は、片手であっても比較的容易である。
【００３７】
詳細については後述するが、面ファスナー１１４，１２０の係合、及び、面ファスナー１１６，１１８の係合によって、保持部１００は、布地１５がユーザの腕に巻き付けられた状態を保持する。上述のように、装具１０を使用するユーザは、面ファスナー１１４，１２０の係合、及び、面ファスナー１１６，１１８の係合を片手で容易に行なうことができる。すなわち、ユーザは、装具１０を片手で容易に装着することができる。
【００３８】
保持部２００は、保持部１００とともに、布地１５がユーザの腕に巻き付けられた状態を保持するように構成されている。保持部２００は、複数のバンド２１０（図３の例では４つ）と、布地１５の第２面側に設けられた面ファスナー２２０とを含む。面ファスナー２２０は、たとえば、矩形状であり、かつ、布地１５に縫着されている。面ファスナー２２０は、布地１５において、矢印Ｒ方向の側縁部であり、かつ、保持部１００よりも矢印Ｄ方向の位置に設けられている。
【００３９】
複数のバンド２１０の各々は、布地１５において、矢印Ｌ方向の側縁部であり、かつ、保持部１００よりも矢印Ｄ方向の位置に取り付けられている。複数のバンド２１０の各々は、たとえば、布地１５の第１面側において、布地１５に縫着される。複数のバンド２１０の各々は、矩形状のゴム帯２１２と、ゴム帯２１２の第１面側に取り付けられた面ファスナー２１４とを含む。面ファスナー２１４は、たとえば、矩形状であり、かつ、ゴム帯２１２に縫着される。
【００４０】
各面ファスナー２１４は、面ファスナー２２０と係合するように構成されている。たとえば、各面ファスナー２１４は雄型の面ファスナーで構成され、面ファスナー２２０は雌型の面ファスナーで構成される。面ファスナー２２０の矢印ＵＤ方向の長さは、最も矢印Ｕ方向（上方向）寄りのバンド２１０の上端から最も矢印Ｄ方向（下方向）寄りのバンド２１０の下端までの長さよりも長い。したがって、ユーザは、面ファスナー２２０に全ての面ファスナー２１４を係合させることができる。
【００４１】
詳細については後述するが、保持部１００による保持が行なわれている状態であれば、面ファスナー２１４，２２０が共通の面に設けられていなくても、ユーザは、面ファスナー２１４，２２０を片手で容易に係合させることができる。したがって、ユーザは、装具１０の装着を片手で容易に行なうことができる。次に、装具１０の装着手順について説明する。
【００４２】
［３．装着手順］
図４は、装具１０の装着手順を示すフローチャートである。図４を参照して、ユーザは、まず、装具１０を準備する（ステップＳ１００）。
【００４３】
図５は、装具１０が準備された状態を示す図である。図５に示されるように、準備段階において、ユーザは、装具１０の第１面上に腕を配置する。再び図４を参照して、ユーザは、面ファスナー１１４，１２０（第１面側に設けられた面ファスナー）を互いに係合させる（ステップＳ１１０）。上述のように、面ファスナー１１４，１２０は共通の面（第１面）に設けられているため、面ファスナー１１４，１２０の係合は、片手であっても比較的容易である。
【００４４】
図６は、第１面側に設けられた面ファスナー同士が係合した状態を示す図である。図６に示されるように、第１面側に設けられた面ファスナー同士が係合することによって、環Ｒ１が形成される。ユーザの手は、環Ｒ１を貫通した状態となる。再び図４を参照して、ユーザは、面ファスナー１１６，１１８（第２面側に設けられた面ファスナー）を係合させる（ステップＳ１２０）。上述のように、面ファスナー１１６，１１８は共通の面（第２面）に設けられているため、面ファスナー１１６，１１８の係合は、片手であっても比較的容易である。
【００４５】
図７は、第２面側に設けられた面ファスナー同士が係合した状態を示す図である。図７に示されるように、第２面側に設けられた面ファスナー同士が係合することによって、手の緊締が行なわれる。また、第２面側に設けられた面ファスナー同士が係合することによって、辺Ｓ１（布地１５における矢印Ｒ方向の端部の辺（図３））が起き上がり、第２面側に設けられている面ファスナー２２０がユーザから視認可能となる。
【００４６】
再び図４を参照して、ユーザは、各面ファスナー２１４を面ファスナー２２０に係合させる（ステップＳ１３０）。面ファスナー２２０がユーザから視認可能な方向を向いているため、ユーザは、片手であっても面ファスナー２１４，２２０を容易に片手で係合させることができる。これにより、図１及び図２に示されるような装具１０の装着状態となる。
【００４７】
［４．特徴］
以上のように、本実施の形態に従う装具１０は、ユーザの腕に巻き付けられる。装具１０は、矩形状の布地１５と、保持部１００とを備える。布地１５は、腕の動きに追従可能な柔軟性を有し、腕の周囲の少なくとも一部分を覆う。保持部１００は、布地１５に取り付けられており、布地１５が腕の周囲の少なくとも一部分を覆った状態を保持するように構成されている。保持部１００は、面ファスナー１１４，１１６，１１８，１２０を含む。面ファスナー１１４，１２０は、各々が第１面に設けられている。面ファスナー１１６，１１８は、各々が第１面の裏面である第２面に設けられている。面ファスナー１１４，１２０は、互いに係合するように構成されている。面ファスナー１１６，１１８は、互いに係合するように構成されている。
【００４８】
布地１５が柔軟性を有する場合に、異なる面に設けられた面ファスナー同士を片手で係合させることは難しい。一方、同じ面に設けられた面ファスナー同士の係合は、片手であっても比較的容易である。装具１０においては、各々が第１面に設けられた面ファスナー１１４，１２０が係合し、各々が第２面に設けられた面ファスナー１１６，１１８が係合する。装具１０によれば、同一の面に設けられた面ファスナー同士の係合を２度行なうことによりユーザの腕に装具１０を巻き付けることができるため、ユーザは、装具１０の巻付けを片手で容易に行なうことができる。
【００４９】
また、本実施の形態に従う装具１０において、保持部１００は、平面視において布地１５の外側に延びるゴム帯１１２を含む。面ファスナー１１４はゴム帯１１２の第１面に設けられ、面ファスナー１２０は布地１５の第１面に設けられる。また、面ファスナー１１６はゴム帯１１２の第２面に設けられ、面ファスナー１１８は布地１５の第２面に設けられる。
【００５０】
仮に、面ファスナー１１４，１１６，１１８，１２０の各々が布地１５に直接取り付けられている場合には、面ファスナー１１４が面ファスナー１２０の位置に届く程度の布地１５の大きさが必要になる。本実施の形態に従う装具１０においては、面ファスナー１１４，１１６がゴム帯１１２に設けられる。装具１０によれば、ゴム帯１１２が平面視において布地１５の外側に延びているため、面ファスナー１１４，１１６，１１８，１２０の各々が布地１５に直接取り付けられている場合と比較して、布地１５の大きさを小さくしたとしても、面ファスナー１１４を面ファスナー１２０に届かせることができる。
【００５１】
［５．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００５２】
＜５−１＞
上記実施の形態においては、各バンド２１０の矢印ＬＲ方向（図３）の長さが同一とされた。しかしながら、各バンド２１０の矢印ＬＲ方向の長さは必ずしも同一である必要はない。たとえば、矢印Ｄ寄りのバンド２１０の長さが、矢印Ｕ寄りのバンド２１０の長さよりも長くてもよい。手寄りの位置よりも腕の付け根寄りの位置の方が腕の周囲の長さが長い場合が多いためである。
【００５３】
＜５−２＞
また、上記実施の形態において、布地１５の形状は、長方形であった。しかしながら、布地１５の形状は、長方形に限定されない。たとえば、正方形であってもよいし、台形であってもよい。
【００５４】
＜５−３＞
また、上記実施の形態においては、各バンド２１０が矢印Ｌ側の端部に設けられ、面ファスナー２２０が矢印Ｒ側の端部に設けられた。しかしながら、各面ファスナーの位置はこれに限定されない。たとえば、次に説明する第１変形例のような構成であってもよい。
【００５５】
図８は、第１変形例である装具１０Ａを示す図である。図８に示されるように、装具１０Ａは、複数のバンド２１０Ａと、面ファスナー２２０Ａとを含む。たとえば、装具１０Ａにおいて、各バンド２１０Ａは矢印Ｒ側の端部に設けられ、面ファスナー２２０Ａは矢印Ｌ側の端部に設けられる。
【００５６】
＜５−４＞
また、上記実施の形態において、布地１５は、ユーザの腕の全周を覆った。しかしながら、布地１５は、必ずしもユーザの腕の全周を覆う必要はない。たとえば、次に説明する第２及び第３変形例のような構成であってもよい。
【００５７】
図９は、第２変形例である装具１０Ｂを示す図である。図９に示されるように、装具１０Ｂは、布地１５Ｂを含む。布地１５Ｂの矢印ＬＲ方向の長さＷ１は、上記実施の形態における布地１５の矢印ＬＲ方向の長さよりも短い。装具１０Ｂが装着された場合に、布地１５Ｂは、ユーザの腕の全周を覆わない。布地１５Ｂは、たとえば、ユーザの腕のうち、センサを配置する必要がない部分を覆わない。
【００５８】
図１０は、第３変形例である装具１０Ｃを示す図である。図１０に示されるように、装具１０Ｃは、布地１５Ｂ，１７を含む。装具１０Ｃにおいては、布地１５Ｂに、布地１５Ｂよりも矢印ＵＤ方向の長さが短い布地１７が取り付けられている。布地１７の矢印ＵＤ方向の長さが短くなっている部分において、ユーザの腕の一部が覆われない。布地１７は、たとえば、ユーザの腕のうち、センサを配置する必要がない部分を覆わない。
【００５９】
＜５−５＞
また、上記実施の形態において、保持部２００は、複数のバンド２１０を含むこととした。しかしながら、保持部２００は、必ずしも複数のバンド２１０を含む必要はない。たとえば、保持部２００は、バンド２１０の代わりに、面ファスナー２２０に係合する面ファスナー２２０に近しい大きさの面ファスナーを含んでもよい。また、たとえば、次に説明する第４変形例のような構成であってもよい。
【００６０】
図１１は、第３変形例において、各バンド２１０を面ファスナー２１４Ｄに置き換えた第４変形例である装具１０Ｄを示す図である。図１１に示されるように、布地１７には面ファスナー２１４Ｄが設けられており、面ファスナー２１４Ｄは面ファスナー２２０に係合する。
【００６１】
＜５−６＞
また、上記実施の形態においては、布地１５の各辺に折返し２０が形成された。しかしながら、折返し２０は、必ずしも各辺に形成される必要はない。たとえば、折返し２０は、布地１５の一部の辺にのみ形成されてもよい。また、折返し２０の形成方法は、必ずしも縫着に限定されない。折返し２０は、たとえば、折り返された辺を糊等により接着することによって形成されてもよい。
【００６２】
＜５−７＞
また、たとえば、上記実施の形態において、布地１５が二重の布地で構成され、布地の内部に空間が形成されてもよい。そして、形成された内部空間のうち、装具１０の装着準備段階（図４のステップＳ１００）でユーザの腕が置かれる位置に対応する位置に、断面視における形状がユーザの腕の形状に沿って湾曲しており、矢印ＵＤ方向（図３）に延びる部材が配置されてもよい。これにより、ユーザは、装着準備段階における腕の置き場所を容易に認識することができるとともに、装具１０を容易に装着することができる。
【００６３】
＜５−８＞
また、上記実施の形態において、保持部１００，２００の各々は、面ファスナーを含むこととした。しかしながら、保持部１００，２００の各々が含む係合部は必ずしも面ファスナーでなくてもよい。たとえば、保持部１００，２００は、面ファスナーの代わりに、スナップ、フック、マグネット等を含んでもよい。
【符号の説明】
【００６４】
１０，１０Ａ，１０Ｂ，１０Ｃ，１０Ｄ  装具、１５，１５Ｂ，１７  布地、２０  折返し、３０，１１２，２１２  ゴム帯、１００，２００  保持部、１１０，２１０，２１０Ａ，２１０Ｂ  バンド、１１４，１１６，１１８，１２０，２１４，２１４Ｄ，２２０，２２０Ａ  面ファスナー、Ａ１  領域、Ｒ１  環、Ｓ１  辺。
【図１】
2019163564.tif 000003
【図２】
2019163564.tif 000004
【図３】
2019163564.tif 000005
【図４】
2019163564.tif 000006
【図５】
2019163564.tif 000007
【図６】
2019163564.tif 000008
【図７】
2019163564.tif 000009
【図８】
2019163564.tif 000010
【図９】
2019163564.tif 000011
【図１０】
2019163564.tif 000012
【図１１】
2019163564.tif 000013